(57)【要約】【課題】汎用操作部分をナビゲーション形式の汎用作業手順とすることにより、汎用的に使用することができるとともに、解析結果を過去事例として容易に活用可能とする。【解決手段】表示部１に表示されている各ステップの画面の表示窓に表示されている「過去のレポートを見る」と記載された部分をクリックし、過去事例検索画面に、製品名や担当者名、およびフリーキーワードを必要に応じて入力し、検索を開始すると、レポート検索部７０４は、これらの入力条件に従ってレポート格納部８に蓄積されている過去の事例（解析結果）を検索し、その検索結果を表示部１に表示する。解析作業者が、その中から所望するファイルを選択すると、表示部１に解析報告書の形で表示する。【選択図】図１
2006351045.tif 000002
【特許請求の範囲】
【請求項１】
形状作成もしくはＣＡＤファイルの読み込み、メッシュ分割、材料物性値の設定、境界条件の設定、解析実行などのＣＡＥ解析の解析手順を順次実行する汎用解析システムであって、
対象物の解析手順画面を表示する表示手段と、
前記表示手段に表示された解析手順画面の中の任意の項目を操作する際に用いられる入力手段と、
前記入力手段による入力操作に従って、各解析手順画面を前記表示手段に順次表示させる画面表示制御手段と、
前記表示手段に表示された解析手順画面から前記入力手段によって入力された解析条件等の情報を保存する解析情報保存手段と、
前記解析情報保存手段に保存された解析条件等の情報に従って解析を行う解析計算処理手段と、
前記解析計算処理手段が実行したＣＡＥ解析結果を過去事例として保存する過去事例保存手段と、
前記過去事例保存手段に保存されている過去事例を検索する過去事例検索手段とを備えており、
前記解析手順画面には、その解析内容に対応した過去事例を参照するためのボタンが設けられており、前記過去事例検索手段は、前記入力手段によってこのボタンが選択されると、解析内容に対応する過去事例を前記過去事例保存手段から検索し、前記表示手段に表示されている解析手順画面上に重ねて表示することを特徴とする汎用解析システム。
【請求項２】
前記過去事例検索手段は、前記入力手段によって前記ボタンが選択されると、対応する過去事例を検索するための過去事例検索画面を前記表示手段に表示し、この過去事例検索画面に前記入力手段より検索項目が入力されると、これらの入力条件に従って前記過去事例保存手段から該当する過去事例を検索し、前記表示手段に表示することを特徴とする請求項１に記載の汎用解析システム。
【発明の詳細な説明】
【技術分野】
【０００１】
本発明は、製品の強度や剛性等の品質を評価するためのコンピュータシミュレーションの分野、および図面品質向上のために設計を検討するコンピュータシミュレーションの分野において利用される汎用解析システムに関する。
【背景技術】
【０００２】
種々の製品の設計においてＣＡＥ解析の技術を利用する場合、従来は、解析の専門家が複雑な強度計算等を行って製品を設計していた。すなわち、ＣＡＥ解析では、微分方程式で表現される物理法則をベースとしているため、ユーザに微分方程式の理解と数値解析に必然的に要求される数学的な約束ごとの理解とが要求されるので、誰でもが簡単にＣＡＥ解析を行えるものではなかった。
【０００３】
ところで、ＣＡＥの解析に限らず、種々の解析において操作性の向上を図った技術が提案されている（例えば、特許文献１参照）。
【０００４】
上記特許文献１に開示された技術は、解析の操作手順を記憶保存しておき、この保存内容に基づいて自動的に解析を行うというものである。これにより、同じ操作手順を、解析のたびに毎回繰り返すといった手間が解消され、解析の操作性の向上につながっている（これを従来技術１という）。
【０００５】
また、ＳＤＲＣ社が開発し日本でも大きな市場を占有しているＩ−ｄｅａｓ（登録商標）等の汎用解析システムも提供されており、この汎用解析システムでは、解析はメニューを解析作業者の判断で選択するようになっている（これを従来技術２という）。
【特許文献１】特開平１０−３０３２６７号公報
【発明の開示】
【発明が解決しようとする課題】
【０００６】
しかしながら、上記した従来技術１にみられるような個別対応型のナビゲーションシステムでは、製品ごとに最もふさわしいナビゲーションとし、解析ノウハウの記述もされているが、後で変更する等のことはできないのが普通であり、汎用性にかけるといった問題があった。また、個別対応型ナビゲーションシステムは、非常に使いやすくその使用に対してノウハウも必要ないが、その反面、ソフトの作成に時間がかかるため、コストが非常に高くなるといった問題もあった。
【０００７】
また、上記した従来技術２の汎用解析システムでは、メッシュの切り方、境界条件の選定、解析結果の見方等といったノウハウ的なところについては、表示部分もないため、解析作業者は自分の判断や専門家に聞いたりして解析を行わなければならないといった問題があった。そのため、解析ノウハウを別途勉強する必要があるといった問題もあった。
【０００８】
ところで、本出願人は、特開２００１−２９０８４６号公報において、設計者が簡単にＣＡＥ解析を行えるようにしたＣＡＥ解析システムを提供している。しかし、このシステムにおいても、製品ごとにシステムを作成する必要があるといった問題が残されていた。また、ＣＡＥ実施後は自らＣＡＥ報告書を作成する必要があった。また、特開平１１−６６１３２号公報において、過去のＣＡＥ事例を参照できるシステムを提供している。しかし、このシステムにおいても、ＣＡＥ情報を解析作業者が入力する必要があった。
【０００９】
さらに、汎用的なＣＡＥシステムとして、レポートを自動出力するものも市販されているが、出力したレポートはユーザが管理する必要があり、過去事例データベースとして活用することができないといった問題があった。
【００１０】
本発明はかかる問題点を解決すべく創案されたもので、その目的は、汎用操作部分をナビゲーション形式の汎用作業手順とすることにより、汎用的に使用することができるとともに、解析結果のレポート出力が可能であり、かつ、レポート結果を過去事例データベースとして活用できる汎用解析システムを提供することにある。
【課題を解決するための手段】
【００１１】
本発明の汎用解析システムは、形状作成もしくはＣＡＤファイルの読み込み、メッシュ分割、材料物性値の設定、境界条件の設定、解析実行などのＣＡＥ解析の解析手順を順次実行する汎用解析システムであって、対象物の解析手順画面を表示する表示手段と、前記表示手段に表示された解析手順画面の中の任意の項目を操作する際に用いられる入力手段と、前記入力手段による入力操作に従って、各解析手順画面を前記表示手段に順次表示させる画面表示制御手段と、前記表示手段に表示された解析手順画面から前記入力手段によって入力された解析条件等の情報を保存する解析情報保存手段と、前記解析情報保存手段に保存された解析条件等の情報に従って解析を行う解析計算処理手段と、前記解析計算処理手段が実行したＣＡＥ解析結果を過去事例として保存する過去事例保存手段と、前記過去事例保存手段に保存されている過去事例を検索する過去事例検索手段とを備えており、前記解析手順画面には、その解析内容に対応した過去事例を参照するためのボタンが設けられており、前記過去事例検索手段は、前記入力手段によってこのボタンが選択されると、解析内容に対応する過去事例を前記過去事例保存手段から検索し、前記表示手段に表示されている解析手順画面上に重ねて表示することを特徴としている。
【００１２】
また、本発明の汎用解析システムは、上記構成において、前記過去事例検索手段は、前記入力手段によって前記ボタンが選択されると、対応する過去事例を検索するための過去事例検索画面を前記表示手段に表示されている解析手順画面上に重ねて表示し、この過去事例検索画面に前記入力手段より検索項目が入力されると、これらの入力条件に従って前記過去事例保存手段から該当する過去事例を検索し、前記表示手段に表示されている解析手順画面上に重ねて表示することを特徴としている。
【００１３】
このような特徴を有する本発明によれば、過去の解析結果を過去事例として参照しながらＣＡＥを実行できるので、過去と似たケースの解析はメッシュタイプやメッシュ分割など、煩わしいＣＡＥ検討事項を省略できる。これにより、ＣＡＥ検討・評価時間を短縮することができる。また、過去事例の情報を入力する時間も不要となる。
【発明の効果】
【００１４】
本発明の汎用解析システムによれば、過去事例を参照するためのボタンが、各解析手順画面の要所に適宜用意されているので、解析作業者は、必要に応じ、各解析手順画面での処理段階で、随時、その作業に関連した過去事例を参照することができる。このように、過去の解析結果を過去事例として参照しながらＣＡＥを実行できるので、過去と似たケースの解析はメッシュタイプやメッシュ分割など、煩わしいＣＡＥ検討事項を省略でき、これにより、ＣＡＥ検討・評価時間を短縮することができる。
【発明を実施するための最良の形態】
【００１５】
以下、本発明の実施の形態について、図面を参照して説明する。
【００１６】
図１は、本発明の汎用解析システムの一実施の形態を概念的に示したブロック図である。
【００１７】
この汎用解析システムは、大別すると、対象物の解析手順画面や解析ノウハウ画面を表示する表示部１と、表示部１に表示された解析手順画面の中の任意の項目を操作する際に用いられるマウスやキーボード等からなる入力部２と、この入力部２の操作に従って、各解析手順画面を表示部１に順次表示させるための解析手順画面表示プログラム、および表示部１に表示される各解析手順画面の中の任意の項目を入力部２によって操作することにより、その項目に対応した解析ノウハウ画面を表示部１に表示させるための解析ノウハウ画面表示プログラムを格納した画面表示プログラム格納部３と、表示部１に表示された解析ノウハウ画面に記述された特定の対象物の解析ノウハウを格納する解析ノウハウ格納部４と、入力部２から入力された情報に従って解析を行う解析計算処理部（解析ソルバー）５と、解析計算処理部５によって実行されたＣＡＥ解析結果をレポートとしてまとめて出力するプリンタ等の出力部６と、これら各部の制御や演算処理を行う対話型制御部７と、ＣＡＥ解析結果をレポートとして格納するレポート格納部８とを備えている。
【００１８】
また、対話型制御部７は、演算部７０１と、ファイル格納部７０２と、解析ノウハウ入出力部７０３と、レポート検索部７０４とを備えており、演算部７０１は、実際の解析に際して要素の形状や要素分割などを計算する部分（プリポスト）である。また、ファイル格納部７０２には、解析の各種対象物について共通に適用される汎用解析手順プログラムを格納した汎用解析手順ファイル部７０２ａ、各入力画面に従って入力部２より入力された解析対象物の解析情報を保存するための解析情報ファイル部７０２ｂ、解析結果を過去事例として保存する解析結果ファイル部７０２ｃなどが格納されている。
【００１９】
解析計算処理部５は、ファイル格納部７０２の解析情報ファイル部７０２ｂに基づいて、特定の対象物の解析計算処理を実行する。そのため、図示は省略しているが、対象物の解析を行う解析ソルバーと呼ばれる構造解析ソフトを具備している。
【００２０】
対話型制御部７は、解析実行時には、画面表示プログラム格納部３に格納されたプログラムに従い、表示部１に解析情報入力画面を順次表示させる処理を実行し、その入力画面中に入力された解析情報を解析情報ファイル部７０２ｂに保存する処理を実行する。また、解析情報ファイル部７０２ｂに保存された解析情報に基づき、解析計算処理部５により実行された対象物の解析結果を解析結果ファイル部７０２ｃに保存する処理を実行する。上記解析情報ファイル部７０２ｂに保存された解析情報及び解析結果ファイル部７０２ｃに保存された解析結果は、出力部６から出力されるとともに、上記対話型制御部７にリンクされているレポート格納部８に過去事例として蓄積される。レポート格納部８に蓄積された過去事例からは、レポート検索部７０４を介して、所望とする事例が検索される。
【００２１】
ただし、解析ノウハウ画面に関しては、本発明の要部ではないので、本明細書では説明を省略する。
【００２２】
図２ないし図５２は、入力部２による入力操作に従い、画面表示プログラム格納部３に格納されている入力画面表示プログラムに従って表示部１に順次表示される入力画面または表示画面の具体例を示している。
【００２３】
各入力画面または表示画面は、基本的に３段構成となっており、上段が、どの段階まで解析手順の操作が進んだかを表示するステップ表示窓、中段が、解析手順の内容を表示するための表示窓、下段が、各種の数値や文字等を入力する入力窓となっている。また、これら入力画面または表示画面の左横には、その手順の過程に対応した３次元モデルの図形が表示されるようになっているが、以下の説明では、この図形は必要に応じて図示することとし、特に必要でない場合には図示を省略する。
【００２４】
ここで、汎用解析手順プログラムは、データベースを開くステップから始まり、形状作成（もしくはＣＡＥファイルの読み込み）ステップ、メッシュ分割ステップ、材料特性値の設定ステップ、固定条件の設定ステップ、負荷条件の設定ステップ、解析実行ステップ、結果表示ステップ、の各ステップ（手順）からなっている。そして、このような各ステップの主要箇所にリンクを設け、このリンク先のファイルが、解析情報を保存している解析情報ファイル部７０２ｂ及び解析結果を保存している解析結果ファイル部７０２ｃとなっており、この解析結果ファイルは、本実施の形態ではＨＴＭＬ形式で記述されているが、テキスト形式でも記述可能である。
【００２５】
すなわち、解析作業者は、汎用解析手順ファイル部７０２ａに格納されている汎用解析手順プログラムに従って、各ステップの入力画面または表示画面（これについては後述する）を開き、その中に表示されている「過去のレポートを見る」と記載された部分をクリックすることで、レポート格納部８に蓄積されている解析パラメータ及び解析結果を過去事例として表示できるようになっている。
【００２６】
次に、本実施の形態の汎用解析システムを用いて、解析作業者が解析を行う手順を説明する。
【００２７】
図２は、データベースを開いたときの最初の画面（初期画面）１０を示している。初期画面１０は、どの段階まで解析手順（ステップ）の操作が進んだかを表示するステップ表示窓１１と、解析手順の内容を対話形式で表示するための表示画面窓１２と、ユーザ作業エリアである入力窓１３と、入力内容を適用するための「適用」と記入された適用ボタン１４と、前画面に戻るための「戻る」と記入された戻るボタン１５とを含んで構成されている。ただし、適用ボタン１４と戻るボタン１５は必要に応じて表示されるボタンであり、この初期画面１０では、いずれのボタンも薄い反転色表示となっており、操作不可状態となっている。
【００２８】
図３は、解析種類選択画面２０を示している。この解析種類選択画面２０は、どの段階までの入力が完了したかを表示するステップ表示窓２１と、これから行う解析種類を選択するための各種項目を対話形式で表示する選択表示窓２２と、ユーザ作業エリアである入力窓２３とを含んで構成されている。
【００２９】
図４は、境界条件のケース数を入力するケース数入力画面３０を示している。このケース数入力画面３０は、どの段階までの入力が完了したかを表示するステップ表示窓３１と、境界条件のケース数を説明するための表示窓３２と、境界条件のケース数を入力するユーザ作業エリアである入力窓３３と、入力内容を適用するための「適用」と記入された適用ボタン３４と、前画面（解析種類選択画面２０）に戻るための「戻る」と記入された戻るボタン３５とを含んで構成されている。
【００３０】
図５は、解析手順表示画面４０を示している。この解析手順表示画面４０は、どの段階までの入力が完了したかを表示するステップ表示窓４１と、解析手順の各ステップを表示するためのステップ表示窓４２と、ユーザ作業エリアである入力窓４３とを含んで構成されている。
【００３１】
図６は、解析モデル選択画面５０を示している。この解析モデル選択画面５０は、どの段階までの入力が完了したかを表示するステップ表示窓５１と、解析モデルの選択を対話形式で表示する選択表示窓５２と、ユーザ作業エリアである入力窓５３とを含んで構成されている。
【００３２】
図７は、形状作成画面６０を示している。この形状作成画面６０は、どの段階までの入力が完了したかを表示するステップ表示窓６１と、形状作成の方法を対話形式で表示する選択表示窓６２と、ユーザ作業エリアである入力窓６３と、前画面（解析モデル選択画面５０）に戻るための「戻る」と記入された戻るボタン６５とを含んで構成されている。
【００３３】
図８は、ＣＡＤファイル選択画面７０を示している。このＣＡＤファイル選択画面７０は、どの段階までの入力が完了したかを表示するステップ表示窓７１と、ＣＡＤファイルの選択を対話形式で表示する選択表示窓７２と、ユーザ作業エリアである入力窓７３と、前画面（形状作成画面６０）に戻るための「戻る」と記入された戻るボタン７５とを含んで構成されている。
【００３４】
図９は、ＣＡＤファイル選択画面８０を示している。このＣＡＤファイル選択画面８０は、どの段階までの入力が完了したかを表示するステップ表示窓８１と、ＣＡＤファイルのトレランスの入力を対話形式で促す表示窓８２と、トレランスを入力するユーザ作業エリアである入力窓８３と、入力内容を適用するための「適用」と記入された適用ボタン８４と、前画面（ＣＡＤファイル選択画面７０）に戻るための「戻る」と記入された戻るボタン８５とを含んで構成されている。
【００３５】
図１０は、ＣＡＤファイル選択画面９０を示している。このＣＡＤファイル選択画面９０は、どの段階までの入力が完了したかを表示するステップ表示窓９１と、ＩＧＥＳファイルの選択を対話形式で促す表示窓９２と、ファイル名やファイルの種類を入力するユーザ作業エリアである入力窓９３と、入力内容を適用するための「適用」と記入された適用ボタン９４と、前画面（ＣＡＤファイル選択画面８０）に戻るための「戻る」と記入された戻るボタン９５とを含んで構成されている。
【００３６】
図１１は、モデル確認画面１００を示している。このモデル確認画面１００は、どの段階までの入力が完了したかを表示するステップ表示窓１０１と、モデルを確認するための各種操作説明などが対話形式で表示された操作表示窓１０２と、ユーザ作業エリアである入力窓１０３とを含んで構成されている。
【００３７】
図１２は、モデル確認画面１１０を示している。このモデル確認画面１１０は、どの段階までの入力が完了したかを表示するステップ表示窓１１１と、フリーエッジの有無を対話形式で表示する表示窓１１２と、ユーザ作業エリアである入力窓１１３と、前画面（モデル確認画面１００）に戻るための「戻る」と記入された戻るボタン１１５とを含んで構成されている。
【００３８】
図１３は、面修正画面１２０を示している。この面修正画面１２０は、どの段階までの入力が完了したかを表示するステップ表示窓１２１と、修正の意思を対話形式で確認する確認表示窓１２２と、ユーザ作業エリアである入力窓１２３と、前画面（モデル確認画面１１０）に戻るための「戻る」と記入された戻るボタン１２５とを含んで構成されている。
【００３９】
図１４は、形状作成ステップの完了確認画面１３０を示している。この完了確認画面１３０は、どの段階までの入力が完了したかを表示するステップ表示窓１３１と、形状作成ステップの完了を対話形式で確認する確認表示窓１３２と、ユーザ作業エリアである入力窓１３３とを含んで構成されている。
【００４０】
図１５は、解析手順表示画面１４０を示している。この解析手順表示窓１４０は、図５に示す解析手順表示画面４０と同じであるが、ここでは、解析手順の各ステップを表示するためのステップ表示窓１４２の表示内容が、次のメッシュ分割を選択するように指示する内容となっている。
【００４１】
図１６は、メッシュ分割画面１５０を示している。このメッシュ分割画面１５０は、どの段階までの入力が完了したかを表示するステップ表示窓１５１と、局所分割の有無を対話形式で確認する確認表示窓１５２と、ユーザ作業エリアである入力窓１５３とを含んで構成されている。
【００４２】
図１７は、メッシュ分割画面１６０を示している。このメッシュ分割画面１６０は、どの段階までの入力が完了したかを表示するステップ表示窓１６１と、平均要素長の入力を対話形式で促す選択表示窓１６２と、平均要素長を入力するユーザ作業エリアである入力窓１６３と、入力内容を適用するための「適用」と記入された適用ボタン１６４とを含んで構成されている。
【００４３】
図１８は、メッシュ分割画面１７０を示している。このメッシュ分割画面１７０は、どの段階までの入力が完了したかを表示するステップ表示窓１７１と、入力した平均要素長でその後の解析を実行するか否かを対話形式で確認する確認表示窓１７２と、平均要素長を入力するユーザ作業エリアである入力窓１７３と、入力内容を適用するための「適用」と記入された適用ボタン１７４とを含んで構成されている。
【００４４】
図１９は、メッシュ分割ステップの完了確認画面１８０を示している。この完了確認画面１８０は、どの段階までの入力が完了したかを表示するステップ表示窓１８１と、メッシュ分割ステップの完了を対話形式で確認する確認表示窓１８２と、ユーザ作業エリアである入力窓１８３とを含んで構成されている。
【００４５】
図２０は、解析手順表示画面１９０を示している。この解析手順表示窓１９０は、図５に示す解析手順表示画面４０と同じであるが、ここでは、解析手順の各ステップを表示するためのステップ表示窓１９２の表示内容が、次の材料物性値の設定を選択するように指示する内容となっている。
【００４６】
図２１は、材料物性値選択画面２００を示している。この材料物性値選択画面２００は、どの段階までの入力が完了したかを表示するステップ表示窓２０１と、材料物性値の選択を対話形式で促す選択表示窓２０２と、ユーザ作業エリアである入力窓２０３とを含んで構成されている。
【００４７】
図２２は、材料物性値の選択ステップの完了確認画面２１０を示している。この完了確認画面２１０は、どの段階までの入力が完了したかを表示するステップ表示窓２１１と、材料物性値の選択ステップの完了を対話形式で確認する確認表示窓２１２と、ユーザ作業エリアである入力窓２１３とを含んで構成されている。
【００４８】
図２３は、解析手順表示画面２２０を示している。この解析手順表示窓２２０は、図５に示す解析手順表示画面４０と同じであるが、ここでは、解析手順の各ステップを表示するためのステップ表示窓２２２の表示内容が、次の固定条件の設定を選択するように指示する内容となっている。
【００４９】
図２４および図２７は、固定条件設定画面２３０を示している。この固定条件設定画面２３０は、どの段階までの入力が完了したかを表示するステップ表示窓２３１と、固定条件の与え方を対話形式で促す選択表示窓２３２と、ユーザ作業エリアである入力窓２３３とを含んで構成されている。
【００５０】
図２５および図２６は、固定条件設定画面２４０を示している。この固定条件設定画面２４０は、面についての固定位置を定義する画面であって、どの段階までの入力が完了したかを表示するステップ表示窓２４１と、固定条件の与え方を対話形式で促す選択表示窓２４２と、ユーザ作業エリアである入力窓２４３と、入力内容を適用するための「適用」と記入された適用ボタン２４４とを含んで構成されている。
【００５１】
図２８は、固定条件の設定ステップの完了確認画面２５０を示している。この完了確認画面２５０は、どの段階までの入力が完了したかを表示するステップ表示窓２５１と、固定条件の設定ステップの完了を対話形式で確認する確認表示窓２５２とを含んで構成されている。
【００５２】
図２９は、解析手順表示画面２６０を示している。この解析手順表示窓２６０は、図５に示す解析手順表示画面４０と同じであるが、ここでは、解析手順の各ステップを表示するためのステップ表示窓２６２の表示内容が、次の負荷条件の設定を選択するように指示する内容となっている。
【００５３】
図３０および図３３は、負荷条件設定画面２７０を示している。この負荷条件設定画面２７０は、どの段階までの入力が完了したかを表示するステップ表示窓２７１と、負荷条件の与え方を対話形式で促す選択表示窓２７２と、ユーザ作業エリアである入力窓２７３とを含んで構成されている。
【００５４】
図３１および図３２は、負荷条件設定画面２８０を示している。この負荷条件設定画面２８０は、強制変位を与える面を設定する画面であって、どの段階までの入力が完了したかを表示するステップ表示窓２８１と、強制変位の与え方を対話形式で促す選択表示窓２８２と、強制変位の情報を入力するユーザ作業エリアである入力窓２８３と、入力内容を適用するための「適用」と記入された適用ボタン２８４とを含んで構成されている。
【００５５】
図３４は、負荷条件の設定ステップの完了確認画面２９０を示している。この完了確認画面２９０は、どの段階までの入力が完了したかを表示するステップ表示窓２９１と、負荷条件の設定ステップの完了を対話形式で確認する確認表示窓２９２とを含んで構成されている。
【００５６】
図３５は、解析手順表示画面３００を示している。この解析手順表示窓３００は、図５に示す解析手順表示画面４０と同じであるが、ここでは、解析手順の各ステップを表示するためのステップ表示窓３０２の表示内容が、次の解析実行を選択するように指示する内容となっている。
【００５７】
図３６は、解析実行画面３１０を示している。この解析実行画面３１０は、どの段階までの入力が完了したかを表示するステップ表示窓３１１と、解析ソルバーの選択を対話形式で確認する選択表示窓３１２とを含んで構成されている。
【００５８】
図３７は、解析実行画面３２０を示している。この解析実行画面３２０は、どの段階までの入力が完了したかを表示するステップ表示窓３２１と、解析手法の選択を対話形式で確認する選択表示窓３２２と、解析手法を入力するユーザ作業エリアである入力窓３２３と、入力内容を適用するための「適用」と記入された適用ボタン３２４と、前画面に戻るための「戻る」と記入された戻るボタン３２５とを含んで構成されている。
【００５９】
図３８は、解析手順表示画面３３０を示している。この解析手順表示窓３３０は、図５に示す解析手順表示画面４０と同じであるが、ここでは、解析手順の各ステップを表示するためのステップ表示窓３３２の表示内容が、次の結果表示を選択するように指示する内容となっている。
【００６０】
図３９および図４０は、同じ結果表示画面３４０を示している。この結果表示画面３４０は、どの段階までの入力が完了したかを表示するステップ表示窓３４１と、解析結果の表示選択を対話形式で確認する選択表示窓３４２と、ユーザ作業エリアである入力窓３４３と、入力内容を適用するための「適用」と記入された適用ボタン３４４とを含んで構成されている。
【００６１】
図４１は、解析手順表示画面３５０を示している。この解析手順表示窓３５０は、図５に示す解析手順表示画面４０と同じであるが、ここでは、解析手順の各ステップを表示するためのステップ表示窓３５２の表示内容が、次のレポート出力を選択するように指示する内容となっている。
【００６２】
図４２は、レポート出力画面３６０を示している。このレポート出力画面３６０は、どの段階までの入力が完了したかを表示するステップ表示窓３６１と、レポートの出力情報の入力を対話形式で促す表示窓３６２と、出力情報を入力するユーザ作業エリアである入力窓３６３と、入力内容を適用するための「適用」と記入された適用ボタン３６４とを含んで構成されている。
【００６３】
図４３は、レポート出力画面３７０を示している。このレポート出力画面３７０は、どの段階までの入力が完了したかを表示するステップ表示窓３７１と、出力するレポートの種類選択を対話形式で促す表示窓３７２と、出力するレポートの種類を入力するユーザ作業エリアである入力窓３７３と、入力内容を適用するための「適用」と記入された適用ボタン３７４と、前画面（レポート出力画面３６０）に戻るための「戻る」と記入された戻るボタン３７５とを含んで構成されている。
【００６４】
図４４は、レポート出力画面３８０を示している。このレポート出力画面３８０は、どの段階までの入力が完了したかを表示するステップ表示窓３８１と、出力する図の視点選択を対話形式で促す表示窓３７２と、前画面（レポート出力画面３７０）に戻るための「戻る」と記入された戻るボタン３８５とを含んで構成されている。
【００６５】
図４５ないし図４９は、プリンタである出力部６から印字出力される解析報告書の例を示している。
【００６６】
図５０は、解析終了画面３９０を示している。この解析終了画面３９０は、どの段階までの入力が完了したかを表示するステップ表示窓３９１と、解析終了を説明する説明表示窓３９２と、システムを終了するための「終了」と記入され終了ボタン３９６とを含んで構成されている。おな、説明は省略しているが、上記各画面においても、システムを終了するための終了ボタンが画面右上に表示されている。
【００６７】
図５１は、図１７に示すメッシュ分割画面１６０に重ねて表示された過去事例検索画面４００を示している。この過去事例検索画面４００は、製品名や担当者名、およびフリーキーワードに入力されたキーワードに基づいて、過去事例データベース７から該当する過去事例を検索するための実行画面である。
【００６８】
図５２は、図１７に示すメッシュ分割画面１６０に重ねて表示された過去事例検索結果画面４１０を示しており、該当する過去事例（レポート）が一覧表示されている。
【００６９】
なお、図５１に示す過去事例検索画面４００は、図１６、図１７および図１８に示すメッシュ分割画面１５０，１６０，１７０の確認表示窓１５２，１６２，１７２に表示されている「過去のレポートを見る」と記載された部分１５２ｂ，１６２ｂ，１７２ｂをクリックすることで開くことができるようになっている。この「過去のレポートを見る」と記載された部分は、この他にも、図２１に示す材料物性値選択画面２００の選択表示窓２０２、図２４および図２７に示す固定条件設定画面２３０の選択表示窓２３２、図２５および図２６に示す固定条件設定画面２４０の選択表示窓２４２、図３０および図３３に示す負荷条件設定画面２７０の選択表示窓２７２ｂ、図３１および図３２に示す負荷条件設定画面２８０の選択表示窓２８２、図３６に示す解析実行画面３１０の選択表示窓３１２ｂなどにも表示されている。
【００７０】
次に、上記構成の汎用解析システムによって任意の対象物を解析、設計する手順について、上記で説明した図２ないし図５２に示す入力画面例および解析結果表示画面例を適宜を参照して説明する。
【００７１】
まず、解析作業者は、本装置を立ち上げて表示部１に図２に示す初期画面１０を表示し、表示画面窓１２の中の「新しいＣＡＥを開始する」または「途中のＣＡＥを再開する」のいずれかを選択する。ここでは、「新しいＣＡＥを開始する」が選択されたものとする。なお、「途中のＣＡＥを再開する」が選択された場合には、すでに解析を行っている既存のモデリングデータベースを開くようになっている。
【００７２】
「新しいＣＡＥを開始する」が選択されると、対話型制御部６は、画面表示プログラム格納部３に格納されている画面表示プログラムを起動し、表示部１に図３に示す解析種類選択画面２０を表示する。解析作業者は、この解析種類選択画面２０の選択表示窓２２に表示されている内容から、今回使用する解析の種類を選択する。具体的には、選択表示窓２２に表示されている各項目のアイコン部分にカーソルを移動させてクリックすることにより、いずれかの解析種類を選択することができる。ここでは、「線形強度解析」が選択されたとする。
【００７３】
これにより、表示部１には、図４に示すケース数入力画面３０が表示される。
【００７４】
次に、解析作業者は、このケース数入力画面３０の選択入力窓３３に、境界条件のケース数を入力し、次に適用ボタン３４をマウス等でクリックすることにより、境界条件のケース数が決定される。これにより、表示部１には、図５に示す解析手順表示画面４０が表示される。
【００７５】
この時点で表示されている解析手順表示画面４０のステップ表示窓４２には、解析手順を示す各ステップのうち、次に形状作成のステップを選択するように指示する内容が表示されている。具体的には、処理を終了しているナビゲーションのステップが反転色となっており、形状作成のステップの横に矢印が付与されている。解析作業者は、この指示に従い、ステップ表示窓４１の形状作成をマウス等でクリックすることにより、表示部１には、図６に示す解析モデル選択画面５０が表示される。
【００７６】
次に、解析作業者は、この解析モデル選択画面５０の選択表示窓５２に表示されている２種類の解析モデルから、１つの解析モデルを選択する。具体的には、各項目の左側に表示されているアイコン部分にカーソルを移動させてマウス等でクリックすることにより、解析モデルが選択される。ここで、「３次元ソリッドモデル」が選択されたとすると、表示部１には、図７に示す形状作成画面６０が表示される。
【００７７】
次に、解析作業者は、この形状作成画面６０の選択表示窓６２に表示されている２種類の方法から、１つの形状作成方法を選択する。具体的には、各項目の左側に表示されているアイコン部分にカーソルを移動させてマウス等でクリックすることにより、形状作成方法が選択される。ここで、「ＣＡＤファイルを読み込む」が選択されたとすると、表示部１には、図８に示すＣＡＤファイル選択画面７０が表示される。
【００７８】
次に、解析作業者は、このＣＡＤファイル選択画面７０の選択表示窓７２に表示されている２種類のＣＡＤファイルから、１つのＣＡＤファイルを選択する。具体的には、各項目の左側に表示されているアイコン部分にカーソルを移動させてマウス等でクリックすることにより、形状作成方法が選択される。ここで、「ＩＧＥＳ」が選択されたとすると、表示部１には、図９に示すＣＡＤファイル選択画面８０が表示される。
【００７９】
次に、解析作業者は、このＣＡＤファイル選択画面８０の表示窓８２に表示された説明内容に従い、入力窓８３にトレランスを入力し、適用ボタン８４をマウス等でクリックすると、表示部１には、図１０に示すＣＡＤファイル選択画面９０が表示される。
【００８０】
次に、解析作業者は、このＣＡＤファイル選択画面９０の表示窓９２に表示されている説明内容に従い、入力窓９３の上部に表示されているファイルから１つのファイルを選択し、適用ボタン９４をマウス等でクリックすると、表示部１には、図１１に示すモデル確認画面１００が表示される。
【００８１】
次に、解析作業者は、モデル確認画面１００の横に表示された解析モデル（３次元ソリッドモデル）を必要に応じて視点を変更したり、表示方法を変更したり、ズームを行ったりして、目視により確認すると、操作表示窓１０２に表示されている「次へ進む」と記載されたアイコンをクリックすることにより、表示部１には、図１２に示すモデル確認画面１１０が表示される。
【００８２】
すなわち、目視による確認後、解析作業者が「次へ進む」と記載されたアイコンをクリックすると、対話型制御部６では、解析作業者による目視確認後の３次元ソリッドモデルのフリーエッジチェックを行い、面を共有していない辺がある場合には、これをフリーエッジとして表示部１に表示する。
【００８３】
次に、解析作業者は、操作表示窓１１２に表示されている「次へ進む」と記載されたアイコンをクリックすると、表示部１には、図１３に示す面修正画面１２０が表示される。
【００８４】
次に、解析作業者は、この面修正画面１２０の確認表示窓１２２に表示された説明内容に従い、フリーエッジが発生している場合には、「面を修正する」を選択して、フリーエッジの修正を行うことになる。また、フリーエッジ等が発生せず、面を修正する必要がない場合には、「面を修正しない」を選択して次に進むことになる。ここでは、「面を修正しない」を選択したとする。すなわち、「面を修正しない」と記載された項目の左側のアイコンをクリックすると、表示部１には、図１４に示すステップ完了確認画面１３０が表示される。
【００８５】
次に、解析作業者は、このステップ完了確認画面１３０の確認表示窓１３２に表示された説明内容に従い、「いいえ」か「はい」のいずれかを選択する。ここでは、「いいえ」を選択する。すなわち、「いいえ」と記載された項目の左側のアイコンをクリックすると、表示部１には、図１５に示す解析手順表示画面１４０が表示される。
【００８６】
この時点で表示されている解析手順表示画面１４０のステップ表示窓１４２には、解析手順を示す各ステップのうち、次にメッシュ分割のステップを選択するように指示する内容が表示されている。具体的には、処理を終了しているナビゲーションのステップと形状作成のステップとが反転色となっており、メッシュ分割のステップの横に矢印が付与されている。解析作業者は、この指示に従い、ステップ表示窓１４１のメッシュ分割をマウス等でクリックすることにより、表示部１には、図１６に示すメッシュ分割画面１５０が表示される。
【００８７】
次に、解析作業者は、このメッシュ分割画面１５０の確認表示窓１５２に表示されている説明内容に従い、解析に必要なメッシュを作成する。ここでは、局所分割を指定しないを選択したとする。すなわち、確認表示部１５２に表示された「いいえ」にカーソルを移動してクリックすると、表示部１には、図１７に示すメッシュ分割画面１６０が表示される。
【００８８】
次に、解析作業者は、このメッシュ分割画面１６０の選択表示窓１６２に表示された説明内容に従い、入力窓１６３に平均要素長を入力し、次に適用ボタン１６４をクリックすると、表示部１には、図１８に示すメッシュ分割画面１７０が表示される。
【００８９】
ここで、解析作業者は、平均要素長を入力するに際し、過去の事例を参照したい場合には、選択表示窓１６２に表示されている「過去のレポートを見る」と記載された部分１６２ｂをクリックする。これにより、画面には過去の事例が表示されるのであるが、この過去事例の表示手順については、最後に詳細に説明する。
【００９０】
次に、解析作業者は、このメッシュ分割画面１７０の左横に表示されたメッシュ分割画面とメッシュ情報とを確認後、そのメッシュ数でよければ、確認表示窓１７２に表示された「このメッシュに決定する」を選択する。すなわち、「このメッシュに決定する」の項目の左側に表示されているアイコンをクリックすると、表示部１には、図１９に示すメッシュ分割ステップの完了確認画面１８０が表示される。
【００９１】
次に、解析作業者は、このステップ完了確認画面１８０の確認表示窓１８２に表示された説明内容に従い、「いいえ」か「はい」のいずれかを選択する。ここでは、「いいえ」を選択する。すなわち、「いいえ」と記載された項目の左側のアイコンをクリックすると、表示部１には、図２０に示す解析手順表示画面１９０が表示される。
【００９２】
この時点で表示されている解析手順表示画面１９０のステップ表示窓１９２には、解析手順を示す各ステップのうち、次に材料物性値の設定のステップを選択するように指示する内容が表示されている。具体的には、処理を終了しているナビゲーションのステップ、形状作成のステップ、メッシュ分割のステップが反転色となっており、材料物性値の設定のステップの横に矢印が付与されている。解析作業者は、この指示に従い、ステップ表示窓１９１の材料物性値の設定をマウス等でクリックすることにより、表示部１には、図２１に示す材料物性値選択画面２００が表示される。
【００９３】
次に、解析作業者は、この材料物性値選択画面２００の選択表示窓２０２に表示されている材料名の一覧から、その材料のヤング率、ポアソン比、質量密度などのデータを参照して、最適な材料を選択する。すなわち、選択する材料名のところにカーソルを移動させてクリックすると、その材料（例えば、「鉄Ｆｅ」）が選択されるとともに、表示部１には、図２２に示す材料物性値の選択ステップの完了確認画面２１０が表示される。
【００９４】
次に、解析作業者は、このステップ完了確認画面２１０の確認表示窓２１２に表示された説明内容に従い、「いいえ」か「はい」のいずれかを選択する。ここでは、「いいえ」を選択する。すなわち、「いいえ」と記載された項目の左側のアイコンをクリックすると、表示部１には、図２３に示す解析手順表示画面２２０が表示される。
【００９５】
この時点で表示されている解析手順表示画面２２０のステップ表示窓２２２には、解析手順を示す各ステップのうち、次に固定条件の設定のステップを選択するように指示する内容が表示されている。具体的には、処理を終了しているナビゲーションのステップ、形状作成のステップ、メッシュ分割のステップ、材料物性値の設定のステップが反転色となっており、固定条件の設定のステップの横に矢印が付与されている。解析作業者は、この指示に従い、ステップ表示窓２２１の固定条件の設定をマウス等でクリックすることにより、表示部１には、図２４に示す固定条件設定画面２３０が表示される。
【００９６】
次に、解析作業者は、この固定条件設定画面２３０の選択表示窓２３２に表示されている説明内容に従い、固定条件を選択する。ここでは、「面に与える」を選択したとする。すなわち、「面に与える」と記載された項目の左側のアイコンをクリックすると、表示部１には、図２５に示す固定条件設定画面２４０が表示される。
【００９７】
次に、解析作業者は、この固定条件設定画面２４０の選択表示窓２４２に表示されている説明内容に従い、３次元ソリッドモデルが表示されている左側の画面上で、固定する面を選択し、ユーザ作業エリアである入力窓２４３で固定方向をチェックし（この例では、Ｘ，Ｙ，Ｚの全ての方向にチェックが入っている）、適用ボタン２４４をクリックすると、表示部１には、図２６に示す固定条件設定画面２４０が表示される。なお、左横には面固定された３次元ソリッドモデルが表示されている。
【００９８】
この固定条件設定画面２４０は、図２５に示す固定条件設定画面２４０と同じであり、違うところは、左側の画面に、面固定されたことを示す印（図中、「１２３」と記載）が付与されている点である。解析作業者は、この画面を確認後、選択表示窓２４２に表示されている「面固定の終了」を選択する。すなわち、「面固定の終了」と記載された左側のアイコンをクリックすると、表示部１には、図２７に示す固定条件設定画面２３０が表示される。
【００９９】
この固定条件設定画面２３０は、図２４に示す固定条件設定画面２３０と同じであり、違うところは、図示しない左側の画面に、面固定されたことを示す印（図中「１２３」と記載）が付与されている点である。解析作業者は、この画面を確認後、選択表示窓２４２に表示されている「固定条件の終了」を選択する。すなわち、「固定条件の終了」と記載された左側のアイコンをクリックすると、表示部１には、図２８に示す固定条件の設定ステップの完了確認画面２５０が表示される。
【０１００】
次に、解析作業者は、このステップ完了確認画面２５０の確認表示窓２５２に表示された説明内容に従い、「いいえ」か「はい」のいずれかを選択する。ここでは、「いいえ」を選択する。すなわち、「いいえ」と記載された項目の左側のアイコンをクリックすると、表示部１には、図２９に示す解析手順表示画面２６０が表示される。
【０１０１】
この時点で表示されている解析手順表示画面２６０のステップ表示窓２６２には、解析手順を示す各ステップのうち、次に負荷条件の設定のステップを選択するように指示する内容が表示されている。具体的には、処理を終了しているナビゲーションのステップ、形状作成のステップ、メッシュ分割のステップ、材料物性値の設定のステップ、固定条件の設定のステップが反転色となっており、負荷条件の設定のステップの横に矢印が付与されている。解析作業者は、この指示に従い、ステップ表示窓２６１の負荷条件の設定をマウス等でクリックすることにより、表示部１には、図３０に示す負荷条件設定画面２７０が表示される。
【０１０２】
次に、解析作業者は、この負荷条件設定画面２７０の選択表示窓２７２に表示されている説明内容に従い、負荷条件を選択する。ここでは、「面に強制変位を与える」を選択したとする。すなわち、「面に強制変位を与える」と記載された項目の左側のアイコンをクリックすると、表示部１には、図３１に示す負荷条件設定画面２８０が表示される。
【０１０３】
次に、解析作業者は、この負荷条件設定画面２８０選択表示窓２８２に表示されている説明内容に従い、３次元ソリッドモデルが表示されている左側の画面上で、強制変位を与える面を選択し、ユーザ作業エリアである入力窓２８３で変位の方向を指定し、変位量を入力して、最後に適用ボタン２８４をクリックすると、表示部１には、図３２に示す負荷条件設定画面２８０が表示される。
【０１０４】
この負荷条件設定画面２８０は、図３１に示す負荷条件設定画面２８０と同じであり、違うところは、左側の画面に、強制変位を与えることを示す印（図中、「１．０００」と記載）が付与されている点である。解析作業者は、この画面を確認後、選択表示窓２８２に表示されている「面強制変位の終了」を選択する。すなわち、「面強制変位の終了」と記載された左側のアイコンをクリックすると、表示部１には、図３３に示す負荷条件設定画面２７０が表示される。
【０１０５】
この負荷条件設定画面２７０は、図３０に示す負荷条件設定画面２７０と同じであり、違うところは、左側の画面に、強制変位を与えることを示す印（図中「１．０００」と記載）が付与されている点である。解析作業者は、この画面を確認後、選択表示窓２７２に表示されている「負荷条件の終了」を選択する。すなわち、「負荷条件の終了」と記載された左側のアイコンをクリックすると、表示部１には、図３４に示す負荷条件の設定ステップの完了確認画面２９０が表示される。
【０１０６】
次に、解析作業者は、このステップ完了確認画面２９０の確認表示窓２９２に表示された説明内容に従い、「いいえ」か「はい」のいずれかを選択する。ここでは、「いいえ」を選択する。すなわち、「いいえ」と記載された項目の左側のアイコンをクリックすると、表示部１には、図３５に示す解析手順表示画面３００が表示される。
【０１０７】
この時点で表示されている解析手順表示画面３００のステップ表示窓３０２には、解析手順を示す各ステップのうち、次に解析実行のステップを選択するように指示する内容が表示されている。具体的には、処理を終了しているナビゲーションのステップ、形状作成のステップ、メッシュ分割のステップ、材料物性値の設定のステップ、固定条件の設定のステップ、負荷条件の設定のステップが反転色となっており、解析実行のステップの横に矢印が付与されている。解析作業者は、この指示に従い、ステップ表示窓３０１の解析実行をマウス等でクリックすることにより、表示部１には、図３６に示す解析実行画面３１０が表示される。
【０１０８】
次に、解析作業者は、この解析実行画面３１０の選択表示窓３１２に表示されている説明内容に従い、解析ソルバーを選択する。ここでは、「専用ソルバーで解析を実行する」が選択されたとする。すなわち、「専用ソルバーで解析を実行する」と記載された左側のアイコンをクリックすると、表示部１には、図３７に示す解析実行画面３２０が表示される。
【０１０９】
次に、解析作業者は、この解析実行画面３２０の選択表示窓３２２に表示されている説明内容に従い、解析手法を選択し、使用メモリを入力して、最後に適用ボタン３２４をクリックすると、解析計算処理部５は、具備している構造解析ソフトを使用して解析を実行する。そして、解析を終了すると、解析結果を解析結果ファイル部７０２ｃに保存する。また、表示部１には、図３８に示す解析手順表示画面３３０が表示される。
【０１１０】
この時点で表示されている解析手順表示画面３３０のステップ表示窓３３２には、解析手順を示す各ステップのうち、次に結果表示のステップを選択するように指示する内容が表示されている。具体的には、処理を終了しているナビゲーションのステップ、形状作成のステップ、メッシュ分割のステップ、材料物性値の設定のステップ、固定条件の設定のステップ、負荷条件の設定のステップ、解析実行のステップが反転色となっており、結果表示のステップの横に矢印が付与されている。解析作業者は、この指示に従い、ステップ表示窓３３１の結果表示をマウス等でクリックすることにより、表示部１には、図３９および図４０に示す解析結果画面３４０が表示される。
【０１１１】
次に、解析作業者は、この解析結果画面３４０の中から表示したい結果を選択すると、その結果が、左側に例えばコンタ図として表示される。
【０１１２】
次に、解析作業者は、解析結果を画面で確認後、適用ボタン３４４をマウス等でクリックする。これにより、表示部１には、図４１に示す解析手順表示画面３５０が表示される。
【０１１３】
この時点で表示されている解析手順表示画面３５０のステップ表示窓３５２には、解析手順を示す各ステップのうち、次にレポート出力のステップを選択するように指示する内容が表示されている。具体的には、処理を終了しているナビゲーションのステップが反転色となっており、レポート出力のステップの横に矢印が付与されている。解析作業者は、この指示に従い、ステップ表示窓３５１のレポート出力をマウス等でクリックすることにより、表示部１には、図４２に示すレポート出力画面３６０が表示される。
【０１１４】
次に、解析作業者は、このレポート出力画面３６０の入力窓３６３に製品名と担当者名（解析作業者の名前）とを入力し、メッシュ図や分布図のサイズや出力枚数を選択した後、適用ボタン３６４をクリックする。これにより、表示部１には、図４３に示すレポート出力画面３７０が表示される。
【０１１５】
次に、解析作業者は、このレポート出力画面３７０の表示窓３７２に表示されている説明内容に従い、入力窓３７３にレポート出力する分布図を入力（選択）し、適用ボタン３７４をクリックする。これにより、表示部１には、図４４に示すレポート出力画面３８０が表示される。
【０１１６】
次に、解析作業者は、このレポート出力画面３８０の表示窓３８２に表示されている説明内容に従い、出力する図の視点を選択する。ここでは、「デフォルト視点でレポート出力を開始する」と記載された左側のアイコンがクリックされたとする。これにより、解析情報ファイル部７０２ｂ及び解析結果ファイル部７０２ｃに保存されている解析結果に基づき、図４５ないし図４９に示す解析報告書が表示部１に表示されるとともに、プリンタである出力部６から印字出力される。
【０１１７】
なお、解析報告書の印字出力が終了すると、表示部１には、図５０に示す解析終了画面３９０が表示されるので、解析作業者は、画面右上に表示されている終了ボタン３９６をクリックする。これにより、システムが終了される。
【０１１８】
以上が本発明の汎用解析システムの一連の処理手順の説明であるが、最後に、本発明の特徴である過去事例の検索および表示手順について説明する。
【０１１９】
例えば、図１７に示すメッシュ分割画面１６０の選択表示窓１６２に表示された説明内容に従い、入力窓１６３に平均要素長を入力する際に、解析作業者が、過去の事例を参照したい場合には、選択表示窓１６２に表示されている「過去のレポートを見る」と記載された部分１６２ｂをクリックする。これにより、メッシュ分割画面１６０には、図５１に示すように、図形を表示する部分に重ねるようにして、過去事例検索画面４００が表示される。
【０１２０】
次に、解析作業者は、この過去事例検索画面４００に、製品名や担当者名、およびフリーキーワードを必要に応じて入力し、下欄の「追加検索」と記載された部分４０１をクリックする。これにより、レポート検索部７０４は、これらの入力条件に従ってレポート格納部８に蓄積されている過去の事例（解析結果）を検索し、その検索結果を表示部１に表示する。すなわち、図５２に示すように、メッシュ分割画面１６０の上に、さらに重ねるようにして、過去事例検索結果画面４１０が表示される。
【０１２１】
ここで、表示された過去事例が多いために、この中から選択することが難しい場合などには、検索条件を変えて、「絞り込み検索」と記載された部分４０２をクリックする。これにより、レポート検索部７０４は絞り込み検索を開始し、その検索結果を過去事例検索結果画面４１０として再度表示する。
【０１２２】
次に、解析作業者は、この過去事例検索結果画面４１０に表示された中から、所望する過去事例を見つけると、その項目欄（例えば、ファイル名のところ）をクリックする。これにより、該当するファイルの内容がレポート格納部８から取り出され、表示部１には、図４５〜図４９に示す解析報告書が表示される。
【０１２３】
これにより、解析作業者は、この解析報告書を参照し、解析担当者のコメント等も参考にしながら、最適な平均要素長を決定することができる。
【０１２４】
このように、「過去のレポートを見る」と記載されている部分は、各ステップの要所に適宜用意されているので、解析作業者は、必要に応じ、各ステップの処理段階で、随時、過去事例を参照することができるようになっている。
【０１２５】
以上説明した汎用解析システムは、ＣＡＥ解析手順を対話形式で格納した汎用解析処理プログラムによって実現されている。本発明の対象とするのは、このプログラムそのものであってもよいし、このプログラムがコンピュータで読み取り可能な記録媒体に格納されているものであってもよい。
【０１２６】
本発明では、この記録媒体として、図１に示されている対話型制御部７で処理が行なわれるために必要なメモリ、例えばＲＯＭのようなものそのものがプログラムメディアであってもよいし、また、図示していない外部記憶装置としてプログラム読み取り装置が設けられ、そこに記録媒体を挿入することで読み取り可能なプログラムメディアであってもよい。
【０１２７】
ここで、上記プログラムメディアとしては、本体と分離可能に構成される記録媒体であって、ＦＤ（フレキシブルディスク）やＨＤ（ハードディスク）等の磁気ディスク系、ＣＤ−ＲＯＭ／ＭＯ／ＭＤ／ＤＶＤ等の光ディスク系、ＩＣカード／光カード等のカード系、マスクＲＯＭ、ＥＰＲＯＭ、ＥＥＰＲＯＭ、フラッシュＲＯＭ等による半導体メモリ系などがある。
【０１２８】
また、本発明においては、インターネットを含む通信ネットワークと接続可能なシステム構成とはなっていないが、通信ネットワークと接続可能なシステム構成である場合には、通信ネットワークからプログラムをダウンロードするように流動的にプログラムを保持する記録媒体であってもよい。
【図面の簡単な説明】
【０１２９】
【図１】本発明の汎用解析システムの一実施の形態による構成を概念的に示したブロック図である。
【図２】データベースを開いたときの初期画面例を示す説明図である。
【図３】解析種類選択画面例を示す説明図である。
【図４】境界条件のケース数入力画面例を示す説明図である。
【図５】解析手順表示画面例を示す説明図である。
【図６】解析モデル選択画面例を示す説明図である。
【図７】形状作成画面例を示す説明図である。
【図８】ＣＡＤファイル選択画面例を示す説明図である。
【図９】ＣＡＤファイル選択画面例を示す説明図である。
【図１０】ＣＡＤファイル選択画面例を示す説明図である。
【図１１】モデル確認画面例を示す説明図である。
【図１２】モデル確認画面例を示す説明図である。
【図１３】面修正画面例を示す説明図である。
【図１４】形状作成ステップの完了確認画面例を示す説明図である。
【図１５】解析手順表示画面例を示す説明図である。
【図１６】メッシュ分割画面例を示す説明図である。
【図１７】メッシュ分割画面例を示す説明図である。
【図１８】メッシュ分割画面例を示す説明図である。
【図１９】メッシュ分割ステップの完了確認画面例を示す説明図である。
【図２０】解析手順表示画面例を示す説明図である。
【図２１】材料物性値選択画面例を示す説明図である。
【図２２】材料物性値の選択ステップの完了確認画面例を示す説明図である。
【図２３】解析手順表示画面例を示す説明図である。
【図２４】固定条件設定画面例を示す説明図である。
【図２５】固定条件設定画面例を示す説明図である。
【図２６】固定条件設定画面例を示す説明図である。
【図２７】固定条件設定画面例を示す説明図である。
【図２８】固定条件の設定ステップの完了確認画面例を示す説明図である。
【図２９】解析手順表示画面例を示す説明図である。
【図３０】負荷条件設定画面例を示す説明図である。
【図３１】負荷条件設定画面例を示す説明図である。
【図３２】負荷条件設定画面例を示す説明図である。
【図３３】負荷条件設定画面例を示す説明図である。
【図３４】負荷条件の設定ステップの完了確認画面例を示す説明図である。
【図３５】解析手順表示画面例を示す説明図である。
【図３６】解析実行画面例を示す説明図である。
【図３７】解析実行画面例を示す説明図である。
【図３８】解析手順表示画面例を示す説明図である。
【図３９】結果表示画面例を示す説明図である。
【図４０】結果表示画面例を示す説明図である。
【図４１】解析手順表示画面例を示す説明図である。
【図４２】レポート出力画面例を示す説明図である。
【図４３】レポート出力画面例を示す説明図である。
【図４４】レポート出力画面例を示す説明図である。
【図４５】解析報告書の例を示す説明図である。
【図４６】解析報告書の例を示す説明図である。
【図４７】解析報告書の例を示す説明図である。
【図４８】解析報告書の例を示す説明図である。
【図４９】解析報告書の例を示す説明図である。
【図５０】解析終了画面例を示す説明図である。
【図５１】図１７に示すメッシュ分割画面に重ねて表示される過去事例検索画面例を示す説明図である。
【図５２】図１７に示すメッシュ分割画面に重ねて表示される過去事例検索結果画面例を示す説明図である。
【符号の説明】
【０１３０】
１  表示部
２  入力部
３  画面表示プログラム格納部
４  解析ノウハウ格納部
５  解析計算処理部
６  出力部（プリンタ）
７  対話型制御部
８  レポート格納部（過去事例データベース）
７０１  演算部
７０２  ファイル格納部
７０２ａ  汎用解析手順ファイル部
７０２ｂ  解析情報ファイル部
７０２ｃ  解析結果ファイル部
７０３  解析ノウハウ入出力部
７０４  レポート検索部
【図１】
2006351045.tif 000003
【図２】
2006351045.tif 000004
【図３】
2006351045.tif 000005
【図４】
2006351045.tif 000006
【図５】
2006351045.tif 000007
【図６】
2006351045.tif 000008
【図７】
2006351045.tif 000009
【図８】
2006351045.tif 000010
【図９】
2006351045.tif 000011
【図１０】
2006351045.tif 000012
【図１１】
2006351045.tif 000013
【図１２】
2006351045.tif 000014
【図１３】
2006351045.tif 000015
【図１４】
2006351045.tif 000016
【図１５】
2006351045.tif 000017
【図１６】
2006351045.tif 000018
【図１７】
2006351045.tif 000019
【図１８】
2006351045.tif 000020
【図１９】
2006351045.tif 000021
【図２０】
2006351045.tif 000022
【図２１】
2006351045.tif 000023
【図２２】
2006351045.tif 000024
【図２３】
2006351045.tif 000025
【図２４】
2006351045.tif 000026
【図２５】
2006351045.tif 000027
【図２６】
2006351045.tif 000028
【図２７】
2006351045.tif 000029
【図２８】
2006351045.tif 000030
【図２９】
2006351045.tif 000031
【図３０】
2006351045.tif 000032
【図３１】
2006351045.tif 000033
【図３２】
2006351045.tif 000034
【図３３】
2006351045.tif 000035
【図３４】
2006351045.tif 000036
【図３５】
2006351045.tif 000037
【図３６】
2006351045.tif 000038
【図３７】
2006351045.tif 000039
【図３８】
2006351045.tif 000040
【図３９】
2006351045.tif 000041
【図４０】
2006351045.tif 000042
【図４１】
2006351045.tif 000043
【図４２】
2006351045.tif 000044
【図４３】
2006351045.tif 000045
【図４４】
2006351045.tif 000046
【図４５】
2006351045.tif 000047
【図４６】
2006351045.tif 000048
【図４７】
2006351045.tif 000049
【図４８】
2006351045.tif 000050
【図４９】
2006351045.tif 000051
【図５０】
2006351045.tif 000052
【図５１】
2006351045.tif 000053
【図５２】
2006351045.tif 000054